(57)【要約】【課題】装着した使用者の顔や表情を演出することで高いファッション性を発揮可能なアイウェアを提供すること。【解決手段】アイウェア１０は、使用者の顔Ｆに装着されるフレーム２０と、フレーム２０に設けられた光源３０とを有する。光源３０は、フレーム２０を装着した使用者の顔Ｆにおいて頬骨近傍からこめかみ近傍に亘る領域を照射領域Ｘとして照射可能な位置に設けられている。照射領域Ｘを照射することにより、使用者の顔Ｆに立体感が生じ、表情豊かに演出することができる。【選択図】図１
2016035522.tif 000002
【特許請求の範囲】
【請求項１】
使用者の顔に装着されるフレームと、
前記フレームに設けられた少なくとも１つの光源とを有し、
前記光源が、前記フレームを装着した前記使用者の顔の一部を照射領域として照射可能な位置に設けられており、前記照射領域の色を変更可能であること、
を特徴とするアイウェア。
【請求項２】
前記照射領域が、前記使用者の頬骨近傍からこめかみ近傍に亘る領域であること、を特徴とする請求項１に記載のアイウェア。
【請求項３】
前記光源が、発光ダイオードによって構成されていること、を特徴とする請求項１又は２に記載のアイウェア。
【請求項４】
前記光源が、発光色を調整可能なものであること、を特徴とする請求項１〜３のいずれかに記載のアイウェア。
【請求項５】
光センサを備えており、前記光センサによって検知される明るさに応じて、前記光源の照度が調整されること、を特徴とする請求項１〜４のいずれかに記載のアイウェア。
【請求項６】
前記光源が、前記フレームの複数箇所に分散配置されていること、を特徴とする請求項１〜５のいずれかに記載のアイウェア。
【請求項７】
前記使用者の生体情報を検知可能な生体センサを備えており、前記生体センサの検知情報に基づいて、前記光源の発光条件が変化すること、を特徴とする請求項１〜６のいずれかに記載のアイウェア。
【請求項８】
音情報を検知可能な音センサを有し、前記音センサの検知情報に基づいて、前記光源の発光条件が変化すること、を特徴とする請求項１〜７のいずれかに記載のアイウェア。
【発明の詳細な説明】
【技術分野】
【０００１】
本発明は、優れたファッション性を有するアイウェアに関する。
【背景技術】
【０００２】
従来より提供されている眼鏡等のアイウェアは、実用性が優先されファッション性が低いものが多い傾向にあった。そこで、従来技術においては、例えば下記特許文献１に開示されている眼鏡のように、装飾を施すことによってアイウェアのファッション性を向上させようとする工夫が種々なされている。具体的には、特許文献１の眼鏡においては、フレームにピアス用の穴を向け、この穴に専用のピアスを取り付け可能とすることにより、眼鏡のファッション性を向上させようとしている。
【先行技術文献】
【特許文献】
【０００３】
【特許文献１】特開２０１１−１７５２２１号公報
【発明の概要】
【発明が解決しようとする課題】
【０００４】
上述した特許文献１に開示されているような従来技術の眼鏡においては、装飾を施すことによりアイウェアのファッション性を向上させようとしている。しかしながら、従来技術のアイウェアは、アイウェア自身のファッション性の向上が見込めるものの、アイウェアを装着した使用者の顔や表情を演出するという観点からすると十分な機能を発揮できているとは言いがたい。
【０００５】
そこで、本発明は、装着した使用者の顔や表情を演出することで高いファッション性を発揮可能なアイウェアの提供を目的とした。
【課題を解決するための手段】
【０００６】
上述した課題を解決すべく提供される本発明のアイウェアは、使用者の顔に装着されるフレームと、前記フレームに設けられた少なくとも１つの光源とを有し、前記光源が、前記フレームを装着した前記使用者の顔の一部を照射領域として照射可能な位置に設けられており、前記照射領域の色を変更可能であること、を特徴とするものである。
【０００７】
本発明のアイウェアにおいては、フレームに設けられた光源により使用者の顔を照射することにより、使用者の顔や表情を演出することができる。従って、本発明によればファッション性に富んだアイウェアを提供できる。
【０００８】
上述した本発明のアイウェアは、前記照射領域が、前記使用者の頬骨近傍からこめかみ近傍に亘る領域であるものであることが好ましい。
【０００９】
本発明のアイウェアにおいては、光源による照射領域が使用者の頬骨近傍からこめかみ近傍に亘る領域とされている。この領域を照射することにより、使用者の顔に立体感が生じ、表情豊かに演出することができる。
【００１０】
上述した本発明のアイウェアにおいては、前記光源が、発光ダイオードによって構成されたものであっても良い。
【００１１】
本発明のアイウェアにおいては、光源として発光ダイオードが用いられているため、使用時における発熱量が少ない。そのため、光源により顔を照射したまま使用を継続したとしても、違和感なく装着し続けることができる。また、発光ダイオードを光源として用いることにより電力消費量を最小限に抑制できるため、長時間に亘って継続的に使用できる。さらに、発光ダイオードは、通常の白熱電球等に比べて耐久性や耐衝撃性に優れたものである。そのため、本発明のアイウェアは、日常的な使用方法がなされる限り、光源が破損等することなく使用できる。
【００１２】
上述した本発明のアイウェアにおいては、前記光源が、発光色を調整可能なものであっても良い。
【００１３】
本発明のアイウェアでは、発光色を調整可能であるため、使用者の顔や表情の演出効果をより一層バリエーションに富んだものとすることができる。
【００１４】
上述した本発明のアイウェアは、光センサを備えており、前記光センサによって検知される明るさに応じて、前記光源の照度が調整されるものであっても良い。
【００１５】
本発明のアイウェアでは、光センサによって検知された明るさに応じて光源の照度の最適化を図ることができる。
【００１６】
上述した本発明のアイウェアにおいては、前記光源が、前記フレームの複数箇所に分散配置されていても良い。
【００１７】
かかる構成によれば、使用者の顔を照射する照射領域に拡がりを持たせることができる。これにより、例えば発光ダイオードのような指向性の高い光源を用いた場合であっても、広範囲に亘って使用者の顔を照射し、演出効果を高めることができる。
【００１８】
上述した本発明のアイウェアは、前記使用者の生体情報を検知可能な生体センサを備えており、前記生体センサの検知情報に基づいて、前記光源の発光条件が変化するものであっても良い。
【００１９】
かかる構成によれば、使用者の心拍や発汗状況などの生体情報に応じて光源の発光条件を変化させることが可能となり、さらにバリエーションに富んだ演出効果が見込める。
【００２０】
上述した本発明のアイウェアは、音情報を検知可能な音センサを有し、前記音センサの検知情報に基づいて、前記光源の発光条件が変化するものであっても良い。
【００２１】
かかる構成によれば、音情報に連動して光源の発光条件を変化させることが可能となり、趣向に富んだ演出効果が見込める。
【発明の効果】
【００２２】
本発明によれば、装着した使用者の顔の一部である照射領域の色を変更させることにより、表情を演出することで高いファッション性を発揮可能なアイウェアを提供できる。
【図面の簡単な説明】
【００２３】
【図１】本発明の一実施形態に係るアイウェアの斜視図である。
【図２】本発明の一実施形態に係るアイウェアの側面図である。
【図３】（ａ）は本発明の一実施形態に係るアイウェアにおける照射範囲の概要を示す正面図、（ｂ）は斜視図である。
【発明を実施するための形態】
【００２４】
以下、本発明の一実施形態に係るアイウェア１０について、図面を参照しつつ詳細に説明する。なお、以下に示す実施形態は、本発明の一実施形態を示したものに過ぎず、本発明が図示されるものに限られないことはいうまでもない。
【００２５】
また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００２６】
図１及び図２に示すように、アイウェア１０は、フレーム２０に加え、光源３０や調色装置４０、照度調整装置５０を備えている点に特徴を有する。以下、フレーム２０について概略を説明した後に、アイウェア１０の特徴的構成である光源３０等について詳細に説明する。
【００２７】
≪フレーム２０について≫
フレーム２０は、レンズＬを保持しつつ、使用者の顔に装着されるものである。フレーム２０は、リム２１や、ヨロイ２２、ブリッジ２３、蝶番２４、テンプル２５、ノーズパッド２６などのパーツの組合せによって構成されている。
【００２８】
リム２１は、レンズＬを取り囲み保持するための縁を構成する部分であり、左右一対とされている。また、ヨロイ２２は、リム２１と蝶番２４とを繋ぐ部分である。ブリッジ２３は、フレーム２０を正面視した際に略中央に位置し、左右のリム２１，２１を繋ぐ部分である。蝶番２４は、リム２１とテンプル２５との間に位置し、リム２１に対してテンプル２５を開閉可能に接続している。また、テンプル２５は、いわゆる「ツル」に相当し、使用者の顔Ｆの側面に沿って配される部分である。ノーズパッド２６は、いわゆる「鼻当て」に相当する部分であり、使用時に使用者の鼻に当たる部分である。
【００２９】
≪光源３０について≫
光源３０は、フレーム２０に設けられており、図示しない電源から電力供給を受けて発光可能なものである。光源３０は、フレーム２０を装着した使用者の顔Ｆにおいて目よりも下の領域を照射領域Ｘとして照射することができる。具体的には、図３においてハッチングを付して示すように、照射領域Ｘは、使用者の頬骨近傍の位置Ａからこめかみ近傍の位置Ｂに亘る領域とされている。すなわち、照射領域Ｘは、メイク時にチークを塗るのと同様の領域である。
【００３０】
光源３０は、発光ダイオード（ＬＥＤ）によって構成されている。本実施形態では、いわゆる三色発光ダイオードが光源３０として採用されており、発光色を適宜変更可能とされている。すなわち、光源３０は、光の三原色を構成する赤、緑、青の光を発生させうるチップを備えており、各チップの発光量を調節することにより任意の発光色の照射光を発生させることができる。
【００３１】
光源３０を構成する発光ダイオードは、フレーム２０の複数箇所に分散配置されている。具体的には、図１及び図２において丸印を付して示すように、リム２１の下部や、ヨロイ２２の下部、テンプル２５の下部等に設けられている。各発光ダイオードは、光軸が照射領域Ｘに向くように配置されている。
【００３２】
≪調色装置４０について≫
調色装置４０は、光源３０の発光色を調整するための装置である。本実施形態では、調色装置４０を構成するスイッチ４２がテンプル２５に設けられている。スイッチ４２を操作することにより、光源３０の発光色を任意に調整することができる。
【００３３】
≪照度調整装置５０について≫
照度調整装置５０は、光源３０の照度を調整可能とするものである。本実施形態では、照度調整装置５０をなす光センサ５２によりアイウェア１０の使用環境の明るさを検知し、検知された明るさ明るさに応じて、光源３０の照度を調整可能とされている。
【００３４】
上述したように、本実施形態のアイウェア１０においては、フレーム２０に設けられた光源３０により使用者の顔Ｆを照射することができる。また、照射領域Ｘが、使用者の頬骨近傍の位置Ａからこめかみ近傍の位置Ｂに亘る領域とされている。これにより、使用者の顔Ｆに立体感を生じさせ、顔Ｆを表情豊かに演出することができる。
【００３５】
また、本実施形態のアイウェア１０においては、光源３０が、発光ダイオードによって構成されている。そのため、アイウェア１０においては、使用時における光源３０の発熱量が少なく、光源３０による顔Ｆの照射を継続したとしても、暑さ等の違和感を感じることなく装着し続けることができる。また、光源３０として発光ダイオードが用いられているため、電力消費量が最小限で済み、長時間に亘って継続的に使用できる。
【００３６】
さらに、アイウェア１０は、光源３０として発光ダイオードを採用しているため、耐久性や耐衝撃性の面においても優れた特性を有する。従って、アイウェア１０は、日常的な使用方法がなされる限り破損等する可能性が低い。
【００３７】
なお、本実施形態では、光源３０として発光ダイオードを用いた例を示したが、本発明はこれに限定されない。すなわち、光源３０は、従来公知の電球等を用いたもの出逢っても良い。
【００３８】
本実施形態のアイウェア１０は、フレーム２０の複数箇所に光源３０を分散配置している。そのため、指向性の高い発光ダイオードを光源３０として用いつつ、広範囲に亘って使用者の顔Ｆを照射し、演出効果を高めることができる。
【００３９】
なお、本実施形態では、フレーム２０の複数箇所に光源３０を分散配置した例を示したが、必ずしもこのような構成とする必要はない。具体的には、光源３０として指向性の低いものを採用した場合や、照射領域Ｘに拡がりを持たせる必要がない場合などには、光源３０を分散配置しなくても良い。
【００４０】
アイウェア１０においては、調色装置４０が設けられており、光源３０の発光色を調整可能とされている。そのため、そのため、使用シーンにあわせて光源３０の発光色を調整することにより、使用者の顔Ｆや表情の演出効果を変化させることができる。例えば、光源３０を青系統の発光色で発光させることによって大人っぽくクールなイメージに演出することや、赤系統の発光色で発光させることにより子供っぽくかわいいイメージに演出する等することができる。このように、調色装置４０を用いて発光色を変化させることにより、より一層バリエーションに富んだ演出効果を得ることができる。
【００４１】
なお、本実施形態では、調色装置４０により光源３０の発光色を変化させうる構成を例示したが、本発明はこれに限定されない。すなわち、光源３０を所定の色のみで発光させるものとしても良い。
【００４２】
上述したように、アイウェア１０は照度調整装置５０を備えており、光センサ５２によって検知される明るさに応じて光源３０の照度を調整可能とされている。そのため、使用環境が暗いときには光源３０を弱く発光させ、明るいときには光源３０を強く発光させる等、明るさに応じて光源３０の照度の最適化を図ることができる。
【００４３】
なお、上述したアイウェア１０は、照度調整装置５０を設け、明るさに応じて光源３０の照度を調整可能としたものであるが、本発明はこれに限定されず、照度調整装置５０を備えていないものであっても良い。
【００４４】
上述したアイウェア１０は、本発明の一実施形態を示したものに過ぎず、他の構成を付加する等しても良い。具体的には、アイウェア１０は、図１において破線で示すように使用者の生体情報を検知可能な生体センサ６０を設け、生体センサの検知情報に基づいて、光源３０の発光条件を変化させうるようにしても良い。このような構成とすることにより、使用者の心拍や発汗状況などの生体情報に応じて光源３０の発光条件を変化させることが可能となり、さらにバリエーションに富んだ演出効果が見込める。
【００４５】
また、アイウェア１０は、図１において破線で示すように、音情報を検知可能な音センサ７０を設け、音センサ７０の検知情報に基づいて、光源３０の発光条件を変化させるものとしても良い。このような構成とすることにより、音情報に連動して光源３０の発光条件を変化させることが可能となり、さらに趣向に富んだ演出効果が見込める。
【産業上の利用可能性】
【００４６】
本発明は、メガネやサングラス、ゴーグル等の様々なアイウェアにおいて利用することができる。  
【符号の説明】
【００４７】
１０  アイウェア
２０  フレーム
３０  光源
４０  調色装置
５０  照度調整装置
５２  光センサ
６０  生体センサ
７０  音センサ
Ｆ  顔
Ｘ  照射領域
【図１】
2016035522.tif 000003
【図２】
2016035522.tif 000004
【図３】
2016035522.tif 000005